(57)【要約】      （修正有）【課題】ＬＥＤライトを使用しない場合、つまり、ユーザが撮影装置を無操作であることを検出する検知部を設けて、ＬＥＤを消灯、または減光する制御を行うことで撮影装置の省電力化を図る。【解決手段】被写体に向けて照明光を発する発光部と、発光部の点灯状態を変化させるための点灯制御部１２３を持つ撮影装置において、ユーザが撮影装置を無操作であることを検出する無操作検出部１２２を備え、発光部の点灯中に無操作検出部１２２により、無操作状態を検出し、点灯制御部１２３により発光部を消灯、もしくは減光する制御手段を有する。【選択図】図１
2018025582.tif 000002
【特許請求の範囲】
【請求項１】
被写体に向けて照明光を発する発光部と、 
発光部の点灯状態を変化させるための点灯制御部を持つ撮影装置において、
ユーザが撮影装置を無操作であることを検出する無操作検出部を備え、
前記発光部の点灯中に前記無操作検出部により、無操作状態を検出し、
前記点灯制御部により前記発光部を消灯、もしくは減光する制御手段を有することを特徴とする撮影装置。
【請求項２】
前記無操作検出部は、
振れ検出手段が検出した振れの信号レベルが所定範囲内であるときに、
前記発光部を常時通電し、
振れ検出手段が検出した振れの信号レベルが所定範囲外であるときに、
前記点灯制御部により前記発光部を消灯、もしくは減光することを特徴とする、
請求項１に記載の撮影装置。
【請求項３】
前記無操作検出部は、
振れ検出手段が検出した振れの信号レベルが所定範囲内、かつ所定時間経過後、 
前記点灯制御部により前記発光部を消灯、もしくは減光することを特徴とする、
請求項１に記載の撮影装置。
【請求項４】
前記無操作検出部は、
撮影装置の三脚座装着検知時、
振れ検出手段が検出した振れの信号レベルが所定範囲外、かつ所定時間経過後、 
前記点灯制御部により前記発光部を消灯、もしくは減光することを特徴とする請求項１に記載の撮影装置。
【請求項５】
前記無操作検出部は、レンズキャップの装着を検出し、前記点灯制御部により前記発光部を消灯、もしくは減光することを特徴とする請求項１に記載の撮影装置。
【請求項６】
前記無操作検出部は、ユーザの撮影装置への接触状態を検出するセンサ検出部を有し、
前記点灯制御部により前記発光部を消灯することを特徴とする請求項１に記載の撮影装置。
【発明の詳細な説明】
【技術分野】
【０００１】
本発明は、レンズとカメラ本体から構成される撮影装置に関する。
【背景技術】
【０００２】
カメラにおいて被写体を至近距離で撮影する場合、近過ぎてカメラ本体やレンズ、撮影者等により被写体に影ができ、良好な撮影ができない状況が発生するときがある。
【０００３】
このようなとき、レンズ先端に円環状のライトを装着して撮影される。近年はＬＥＤの高輝度化、低価格化によりＬＥＤを使用したライトが一般的に使用されている。例えば、特許文献１では、環状光源によって被写体の照明を可能とし、点灯する電源は交換レンズシステムで得られるカメラ側からのものであり、マクロ撮影操作に連動して有効となる撮影レンズに搭載するスイッチの操作によって点灯可能とする構成が提案されている。また、ＬＥＤライトの使い勝手の観点から、特許文献２では、顔が検出された場合は撮像装置と検出された顔との距離に応じて照明装置の照度を調節し、顔が検出されなかった場合は照明装置の照度を最大に調節する構成が提案されている。
【０００４】
ところで、レンズの動作モードによってはＬＥＤライトを使用するかしないかが明らかな場合があり、このようなモードで使用するときに手動でその都度ＬＥＤライトの点灯・消灯を操作するのは煩わしい。また、消灯し忘れて電池を無駄に消費したりすることもあり、使い勝手として不親切な点があった。
【先行技術文献】
【特許文献】
【０００５】
【特許文献１】特開２００６−３３７４２２号公報
【特許文献２】特開２０１２−１１９８４０号公報
【発明の概要】
【発明が解決しようとする課題】
【０００６】
上述の特許文献１、２に開示された従来技術は、照明装置を内蔵したレンズにおいて、ユーザが撮影状態ではないときに照明装置を点灯し続けることによる省電力化については述べられていない。
【０００７】
本発明の目的は、明らかにＬＥＤライトを使用しない場合、つまり、ユーザが撮影装置を無操作であることを検出する検知部を設けて、ＬＥＤを消灯、または減光する制御を行うことで撮影装置の省電力化を図ることを目的としている。
【課題を解決するための手段】
【０００８】
本発明の撮影装置は、被写体に向けて照明光を発する発光部と、 
発光部の点灯状態を変化させるための点灯制御部を持つ撮影装置において、
ユーザが撮影装置を無操作であることを検出する無操作検出部を備え、
発光部の点灯中に無操作検出部により、無操作状態を検出し、
点灯制御部により発光部を消灯、もしくは減光する制御手段を有することを特徴とする。
【０００９】
また、本発明の他の一側面としての撮像装置は、振れ検出手段が検出した振れの信号レベルが所定範囲内であるときに、発光部を常時通電し、
振れ検出手段が検出した振れの信号レベルが所定範囲外であるときに、
点灯制御部により発光部を消灯、もしくは減光することを特徴とする。
【００１０】
また、本発明の他の一側面としての撮像装置は、振れ検出手段が検出した振れの信号レベルが所定範囲内、かつ所定時間経過後、点灯制御部により発光部を消灯、もしくは減光することを特徴とする。
【００１１】
また、本発明の他の一側面としての撮像装置は、撮影装置の三脚座装着検知時、
振れ検出手段が検出した振れの信号レベルが所定範囲外、かつ所定時間経過後、 
点灯制御部により発光部を消灯、もしくは減光することを特徴とする。
【００１２】
また、本発明の他の一側面としての撮像装置は、レンズキャップの装着を検出し、点灯制御部により発光部を消灯、もしくは減光することを特徴とする。
【００１３】
また、本発明の他の一側面としての撮像装置は、ユーザの撮影装置への接触状態を検出するセンサ検出部を有し、点灯制御部により発光部を消灯することを特徴とする
【発明の効果】
【００１４】
本発明によれば、ユーザが撮影装置を無操作であることを検出する無操作検出部を設けて、ＬＥＤを消灯、または減光する制御を行うことで撮影装置の省電力化が可能となる。
【図面の簡単な説明】
【００１５】
【図１】本発明の実施形態の撮影装置のブロック図である。
【図２】像振れ補正装置の電気的な概略構成
【図３】角速度センサ信号の出力波形
【図４】角速度センサ信号を用いた実施例１のフローチャート
【図５】角速度センサと三脚検知部を用いた実施例１のフローチャート
【図６】レンズキャップ装着検知を用いた実施例２のフローチャート
【図７】タッチセンサ、温度センサを用いた実施例３のフローチャート
【発明を実施するための形態】
【００１６】
以下に、本発明の好ましい実施形態を、添付の図面に基づいて詳細に説明する。
【００１７】
［実施例１］
図１は、本実施形態のレンズ交換型の撮影装置（撮像システム、光学機器）のブロック図である。撮影装置は、カメラ本体１３０（撮像装置、光学機器）とレンズ装置（交換レンズ、光学機器）１０１と、を有する。レンズ装置１０１は、カメラ本体１３０にマウントを介して着脱可能に装着される。本実施形態は、一眼レフカメラであるが、本発明はいわゆるミラーレスカメラにも適用可能である。
【００１８】
カメラ本体１３０は、撮像部（撮像素子）１２６、タイミングジェネレータ（ＴＧ）１３１、ＣＤＳ／ＧＣ１２７、Ａ／Ｄ変換器（ＡＤＣ）１２８、映像信号処理回路１３２、ＬＣＤ１２９、メモリカード１３３、操作部１３４、三脚装着検知部１３８、カメラＣＰＵ１３５を有する。
【００１９】
被写体からの撮影光束はレンズ装置１０１の撮影光学系を通り、光電変換素子としての撮像部（ＣＣＤやＣＭＯＳ）１２６面上に光学像として結像し、撮像部１２６によって光学像は光電変換されて撮像信号（電気信号、アナログ信号）となる。ＴＧ１３１は、撮像部１２６の蓄積動作、読み出し動作及びリセット動作などを制御する。ＣＤＳ／ＧＣ１２７は、撮像部１２６の蓄積電荷ノイズを低減するＣＤＳ回路（２重相関サンプリング回路）、及び撮像信号を増幅するゲインコントロール回路である。ＡＤＣ１２８は増幅された撮像信号をアナログからデジタルの画像データへ変換する。
【００２０】
映像信号処理回路１３２は、画像データに、フィルタ処理、色変換処理及びガンマ処理などの画像処理を施すことにより、画像の合焦状態を表すフォーカス情報の生成や、露出状態を表す輝度信号情報の生成、記録可能なデータ形式への変換が行われる。映像信号処理回路１３２で信号処理された画像信号は、表示部としてのＬＣＤ（液晶ディスプレイ）１２９に表示されたり、着脱可能なメモリカード（記録部）１３３に記録されたりする。
【００２１】
操作部１３４は、カメラメインスイッチや、動画／静止画撮影モードの設定や、動画の録画、静止画撮影を行うためのスイッチ、レリーズスイッチ類を有する。レリーズスイッチは二段階に押し込むことが可能で、半押し操作をＳ１、全押し込み操作をＳ２と呼ぶ。
【００２２】
カメラＣＰＵ１３５は各部の動作を制御する制御手段であり、インターフェース回路１２４を介して、レンズ装置１０１のレンズＣＰＵ１０５と通信する。この通信では、レンズ装置１０１の撮影光学系の駆動命令を送信したり、フォーカスリング１１０の制御設定、動画／静止画撮影モードの状態、録画中、撮影中などの動作状態などのデータを送受信したりする。
【００２３】
カメラ本体１３０とレンズ装置１０１はマウントにより、機械的および電気的に接続されている。マウントのインターフェース回路１２４を経由して両者は通信可能に接続されると共に、レンズ装置１０１はカメラ本体１３０から電源を取得し、各種アクチュエータの駆動電源、レンズＣＰＵ１０５の処理用電源等として消費している。
【００２４】
三脚装着検知部１３８は、カメラ本体１３８に三脚が装着されたことを検出し、検出情報は、カメラＣＰＵ１３５からマウントのインターフェース回路１２４を経由してレンズＣＰＵ１０５に通知される。
【００２５】
レンズ装置１０１は撮影光学系とレンズＣＰＵ（制御手段）１０５を有する。撮影光学系は、複数の光学レンズユニット（光学素子）により構成され、物体（被写体）の光学像を形成する。本実施例の撮影光学系は、被写体像の入射方向から順に、フォーカスレンズ１０７、ズームレンズ（変倍レンズ）１１１、像振れ補正レンズ１１２、絞り１１８が配置されている。
【００２６】
フォーカスレンズ１０７は、レンズＣＰＵ１０５からの制御信号によりフォーカス制御回路１０９及びフォーカスレンズ駆動用モータ１０８を介して光軸方向に駆動され、焦点調節を行う。
【００２７】
フォーカスリング１１０は、フォーカスレンズ１０７の駆動をマニュアル（手動）操作により行い、マニュアルフォーカスを与えることを可能にする操作部（可動部材）である。ズームレンズ１１１の位置は、ボリュームエンコーダ１１６からの出力をレンズＣＰＵ１０５内のＡ／Ｄ変換部がデジタル信号に変換することによって検出される。ズームレンズ１１１は、光軸方向に移動されて焦点距離を変更する。
【００２８】
像振れ補正レンズ１１２は、像振れ補正制御回路１１３、リニアモータ１１４を介して撮影光学系の光軸に直交する方向の成分を持つように駆動される。像振れ補正レンズ１１２の位置は、エンコーダなどの補正レンズ位置検出部１１７によって検出される。
【００２９】
像振れ補正では、まず、カメラの振動を検出する。振動は、角加速度、角速度、角変位等を検出する振れセンサと、振れセンサの出力信号を電気的あるいは機械的に積分して角変位を出力する振れ検出回路とよりなる振れ検出手段によって検出される。
【００３０】
本実施形態では、ジャイロセンサ等から構成される角速度センサ１１５が検出した角速度を表す振れ信号がレンズＣＰＵ１０５に入力される。レンズＣＰＵ１０５は、像振れ補正レンズ１１２の目標位置を算出し、目標位置と補正レンズ位置検出部１１７が検出した実際の位置との差に応じた駆動信号を像振れ補正制御回路１１３に出力する。像振れ補正は、補正レンズ位置検出部１１７から出力される補正レンズ位置信号を像振れ補正制御回路１１３にフィードバックすることで行われる。
【００３１】
図２は、この様子を示す像振れ補正装置の電気的な概略構成を示すブロック図である。角速度センサ１１５の出力は、増幅、ハイパスフィルタ、ローパスフィルタ等を行う信号処理回路２０１で処理される。信号処理回路２０１は、図１では省略されているが、角速度センサ１１５とレンズＣＰＵ１０５との間に設けられている。次いで、信号処理回路２０１の出力は、レンズＣＰＵ１０５内のＡ／Ｄ変換部２０５でデジタル信号に変換され、オフセット除去、ハイパスフィルタ、積分などのデータ処理がデータ処理部２０６にて行われる。
【００３２】
また、補正レンズ位置検出部１１７の出力は、ローパスフィルタ等を行う信号処理回路２０２で処理される。信号処理回路２０２は、図１では省略されているが、補正レンズ位置検出部１１７とレンズＣＰＵ１０５との間に設けられている。信号処理回路２０２の出力は、レンズＣＰＵ１０５内のＡ／Ｄ変換部２０５によってデジタル信号に変換され、増幅等のデータ処理がデータ処理部２０６にて行われる。データ処理部２０４、２０６からの二つの信号をレンズＣＰＵ１０５内のフィードバック演算部２０７が演算し、増幅及び公知の位相進み補償をレンズＣＰＵ１０５内の位相進み補償部２０８が行う。
【００３３】
位相進み補償部２０８からの信号は、像振れ補正レンズ１１２の駆動信号として像振れ補正制御回路１１３に出力される。像振れ補正制御回路１１３は、この出力に基づいてリニアモータ１１４を駆動する信号を生成する。
【００３４】
像振れ補正は、撮影者が手持ちで撮影する場合、三脚に取り付けて撮影する場合など様々な状況に応じた最適な特性がある。例えば、一眼レフカメラを手持ちで撮影をする際には、手振れによる低周波の振れまで補正するように特性を設定する。一方、一眼レフカメラを三脚に取り付けて撮影をする場合は、低周波の手振れが無いのでカメラのクイックリターンミラーやシャッターによる高周波の振動のみを補正するように像振れ補正特性を設定する方が良い。これは、低周波を効かせてしまうと振れセンサのドリフトにより結像性能が低下してしまうからである。
【００３５】
そこで、カメラの支持状態を検出し、その支持状態に応じた像振れ補正特性を設定することが好ましい。カメラの支持状態を検出する方法として、ある所定時間内の角速度センサ１２０の信号レベルが所定値（閾値）より小さければ三脚取り付け状態と判定する方法を利用することができる。また、本実施形態は、角速度センサ１２０の信号レベルの所定値に基づいて、ＬＥＤ素子１０３の点灯状態を変化させる。
【００３６】
絞り１１８は、レンズＣＰＵ１０５からの制御信号により絞り制御回路１２０及びステッピングモータ１１９を介して駆動され、撮像部１２６に入射する光量を調整する。
【００３７】
スイッチ１０４は、像振れ補正ＯＮ／ＯＦＦ選択用スイッチや、オートフォーカスとマニュアルフォーカス選択スイッチ、ＬＥＤ点灯ＯＮ／ＯＦＦ選択用スイッチを含む。ＬＥＤ素子１０３（複数のＬＥＤ素子によりＬＥＤライトを構成：照明手段）は、ＬＥＤ制御回路部１０６を介して、ＬＥＤ点灯スイッチにより点灯される。ＬＥＤ点灯スイッチを所定回数操作、もしくは押し釦スイッチである場合は長押し操作を行うことで、ＬＥＤ素子１０３の発光量を何段階かに切り替えを行うようにしてもよい。
【００３８】
装着検知部１２５はレンズキャップ１０２を装着されたことを検出する。検出方法として、例えば、レンズキャップ１０２側に導通可能な接点部を設け、レンズ装置１０１側のプルアップされた接点部と勘合することでグラウンドとショートされたことをレンズＣＰＵ１０５により検出を行う。また、レンズキャップ１０２を装着することでレンズ装置１０１側に設けられた押し釦スイッチがＯＮとなることを検出してもよいが、これに限らない。本実施形態は、装着検知部１２５の信号に基づいて、ＬＥＤ素子１０３の点灯状態を変化させる。
【００３９】
タッチセンサ１３６はレンズ装置１０１の外装に具備され、ユーザが指等で行ったタッチ操作は、タッチセンサ１３６によって検出され、その検出結果をレンズＣＰＵ１０５に入力する。温度センサ１３７はレンズ装置１０１の内部の外装近傍に具備され、ユーザがレンズに触れている（撮影状態にある）ことを温度上昇から検出し、その検出結果をレンズＣＰＵ１０５に入力する。
【００４０】
本実施形態は、タッチセンサ１３６、温度センサ１３７から検出された所定値に基づいて、ＬＥＤ素子１０３の点灯状態を変化させる。レンズＣＰＵ１０５は、レンズ装置１０１の各部を制御する。レンズＣＰＵ１０５は、センサ検出部１２１と、無操作検出部１２２と、ＬＥＤ点灯制御部１２３を含む。センサ検出部１２１は、レンズ装置１０１に具備されている、角速度センサ１１５、タッチセンサ１３６、温度センサ１３７等のセンサ信号の検出を行う。
【００４１】
無操作検出部１２２は、装着検知部１２５からのレンズキャップ装着信号やセンサ検出部１２１の検出結果から、ユーザが撮影装置を無操作状態であることの検出を行う。ＬＥＤ点灯制御部１２３は、ＬＥＤ点灯ＯＮ／ＯＦＦ選択用スイッチの信号、無操作検出部１２２の検出結果から、ＬＥＤ素子１０３の点灯状態をＬＥＤ制御回路部１０６を介して、変化させる制御を行う。
【００４２】
［実施例１］
以下、実施例１の角速度センサ検出によるＬＥＤ素子１０３の点灯状態省電力化制御方法について説明する。
【００４３】
図３は角速度センサ信号の出力状態を示している。ΔＴ１区間は、ユーザによる通常撮影状態時の角速度センサ信号出力を示し、ΔＴ２区間は、ユーザがカメラシステムを持ち歩いている状態の角速度センサ信号出力を示し、ΔＴ３区間は、三脚装着時の角速度センサ信号出力を示している。
【００４４】
センサ検出部１２１により、角速度センサ１１５のセンサ信号検出が行われ、無操作検出部１２２により、所定閾値Ｖ１、-Ｖ１範囲内であれば、通常撮影状態と判断され、ＬＥＤ点灯制御部１２３により、ＬＥＤ素子１０３の通常点灯を継続する。
【００４５】
所定閾値Ｖ１、-Ｖ１範囲外であれば、無操作検出部１２２により、持ち運び状態と判断され、ＬＥＤ点灯制御部１２３により、ＬＥＤ素子１０３の消灯制御、もしくは減光制御を行う。このとき、所定閾値Ｖ１、-Ｖ１範囲外の時間ΔＴ２が所定時間続いたらＬＥＤ点灯制御部１２３により、ＬＥＤ素子１０３の消灯制御、もしくは減光制御を行うこととしてもよい。減光制御を行った後、さらに所定時間経過した場合、ＬＥＤ素子１０３の消灯制御を行うこととしてもよい。
【００４６】
また、図１の三脚装着検知部１３８により、カメラ本体１３８に三脚が装着されていない状態において、所定閾値Ｖ２、-Ｖ２範囲内の時間ΔＴ３が所定時間続いたら、無操作検出部１２２により、カメラ放置状態と判断され、ＬＥＤ点灯制御部１２３により、ＬＥＤ素子１０３の消灯制御、もしくは減光制御を行う。減光制御を行った後、さらに所定時間経過した場合、ＬＥＤ素子１０３の消灯制御を行うこととしてもよい。
【００４７】
さらに、図１の三脚装着検知部１３８により、カメラ本体１３８に三脚が装着されたことを検出された状態において、所定閾値Ｖ１、-Ｖ１範囲外の時間ΔＴ２が所定時間続いたら、無操作検出部１２２により、三脚装着状態でのカメラ持ち運び状態と判断され、ＬＥＤ点灯制御部１２３により、ＬＥＤ素子１０３の消灯制御、もしくは減光制御を行う。減光制御を行った後、さらに所定時間経過した場合、ＬＥＤ素子１０３の消灯制御を行うこととしてもよい。
【００４８】
以上の制御を図４のフローチャートを用い、以下説明する。Ｓ１０１でＬＥＤ点灯ＯＮ／ＯＦＦ選択用スイッチ１０４により、ＬＥＤ素子１０３が点灯される。Ｓ１０２で角速度センサ出力のＡ／Ｄ変換を行い、Ｓ１０３でデータ処理を行う。Ｓ１０４で角速度センサの信号レベルが所定閾値Ｖ１、-Ｖ１範囲内であるかを判別し、所定範囲内であればＳ１１１に進み、通常点灯を継続する。所定範囲外であれば、Ｓ１０５に進み、所定範囲外の継続時間が所定時間経過したか判別する。所定時間経過していない場合は、時間計測を継続し、経過していた場合はＳ１０６に進む。
【００４９】
Ｓ１０６では、カメラ本体１３０に具備されるレリーズスイッチのＳ１操作を検出し、Ｓ１操作があれば、Ｓ１１１に進む。Ｓ１操作がなければＳ１０７に進み、ＬＥＤ素子１０３の通常点灯状態よりも光量少なくなるよう、ＬＥＤ減光制御を行う。ＬＥＤの減光制御はＬＥＤ素子１０３への供給電圧を減らす制御で行うが、これに限らない。Ｓ１０７のＬＥＤ減光制御後はＳ１０８に進み、再びＳ１操作が行われたかを判別し、Ｓ１操作があれば、Ｓ１１１に進む。Ｓ１操作がなければＳ１０９に進み、所定時間経過したか判別する。所定時間経過していない場合は、時間計測を継続し、経過していた場合はＳ１１０に進む。Ｓ１１０では、
ＬＥＤ素子１０３のＬＥＤ消灯制御を行う。ＬＥＤの消灯制御は、ＬＥＤ素子１０３への供給電圧を切断する制御で行うが、これに限らない。
【００５０】
以上、ＬＥＤの減光制御を含むフローを説明したが、ＬＥＤの減光制御を挟まず、ＬＥＤ消灯制御を行ってもかまわない。
【００５１】
また、実施例では角速度センサを用いて説明したが、加速度センサを用いて無操作状態を検出する構成としてもよい。
【００５２】
さらに、三脚検知部１３８を使用した場合を、図５のフローチャートを用い、以下説明する。
【００５３】
Ｓ２０１〜Ｓ２０３は図４と同制御である。Ｓ２０４で三脚が装着されているかを検出し、装着されていた場合はＳ２０５に進み、装着されていない場合は、Ｓ２１３に進む。Ｓ２０５〜Ｓ２１２の制御は図４と同制御である。Ｓ２１３では、角速度センサの信号レベルが所定閾値Ｖ２、-Ｖ２範囲内であるかを判別し、所定範囲外であればＳ２０５に進み、所定範囲内であれば、Ｓ２１４に進む。Ｓ２１４〜Ｓ２１９の制御は、Ｓ２０６〜Ｓ２１２と同制御である。
【００５４】
［実施例２］
以下、実施例２のレンズキャップ１０２装着検出によるＬＥＤ素子１０３の点灯状態省電力化制御方法について説明する。装着検知部１２５により、レンズＣＰＵ１０５がレンズキャップ１０２を装着されたことを検出したとき、レンズＣＰＵ１０５内の無操作検出部１２２により、撮影終了状態と判断され、ＬＥＤ点灯制御部１２３により、ＬＥＤ素子１０３の消灯制御を行う。
【００５５】
以上の制御を図６のフローチャートを用い、以下説明する。Ｓ３０１でＬＥＤ点灯ＯＮ／ＯＦＦ選択用スイッチ１０４により、ＬＥＤ素子１０３が点灯される。Ｓ３０２でレンズキャップが装着されたかを判別し、装着されていない場合はＳ３０４に進み、通常点灯を継続する。装着された場合はＳ３０３に進み、ＬＥＤ素子１０３のＬＥＤ消灯制御を行う。ここでは実施例１のようなＬＥＤの減光制御を含んでいないが、ＬＥＤの減光制御を挟んで、ＬＥＤ素子１０３のＬＥＤ消灯制御を行う構成としてもよい。
【００５６】
［実施例３］
以下、実施例３のタッチセンサ１３６、温度センサ１３７から検出された所定値に基づいて、ＬＥＤ素子１０３の点灯状態省電力化制御方法について説明する。
【００５７】
タッチセンサ１３６により、ユーザが指等で行うタッチ操作を、タッチセンサ１３６が所定時間検出されなかった場合、レンズＣＰＵ１０５内の無操作検出部１２２により、撮影終了状態と判断され、ＬＥＤ点灯制御部１２３により、ＬＥＤ素子１０３の消灯制御、もしくは減光制御を行う。減光制御を行った後、さらに所定時間経過した場合、ＬＥＤ素子１０３の消灯制御を行うこととしてもよい。
【００５８】
また、温度センサ１３７により、ユーザがレンズに触れている（撮影状態にある）ことを示す所定温度範囲外の値が所定時間経過した場合、レンズＣＰＵ１０５内の無操作検出部１２２により、撮影終了状態と判断され、ＬＥＤ点灯制御部１２３により、ＬＥＤ素子１０３の消灯制御、もしくは減光制御を行う。減光制御を行った後、さらに所定時間経過した場合、ＬＥＤ素子１０３の消灯制御を行うこととしてもよい。
【００５９】
以上の制御を図７のフローチャートを用い、以下説明する。Ｓ４０１でＬＥＤ点灯ＯＮ／ＯＦＦ選択用スイッチ１０４により、ＬＥＤ素子１０３が点灯される。Ｓ４０２でユーザがカメラを操作中であるかを判別する。タッチセンサの場合は、ユーザが指等で行ったタッチ操作が、タッチセンサ１３６によって検出され、その検出結果をレンズＣＰＵ１０５に入力されているかで判別する。
【００６０】
温度センサの場合は、ユーザがレンズに触れている（撮影状態にある）ことを温度上昇から検出し、その検出結果が所定温度範囲内であるかで判別する。カメラを操作中と判別された場合はＳ４０５に進み、通常点灯を継続する。操作中でないと判別された場合はＳ４０３に進み、所定時間経過したか判別する。所定時間経過していない場合はＳ４０５に進み、経過していた場合はＳ４０４に進む。Ｓ４０４では、ＬＥＤ素子１０３のＬＥＤ消灯制御を行う。
【００６１】
ここでは実施例１のようなＬＥＤの減光制御を含んでいないが、ＬＥＤの減光制御を挟んで、ＬＥＤ素子１０３のＬＥＤ消灯制御を行う構成としてもよい。
【００６２】
以上、本実施形態について説明したが、本発明は本実施形態に限定されず、その要旨の範囲内で種々の変形及び変更が可能である。
【産業上の利用可能性】
【００６３】
本発明の光学機器は、交換レンズ、交換レンズが着脱可能なカメラ本体、交換レンズとカメラ本体から構成される撮影システムに適用することができる。
【符号の説明】
【００６４】
１０１…レンズ装置
１０２…レンズキャップ
１０３…ＬＥＤ素子
１０４…像振れ補正ＯＮ／ＯＦＦ選択用スイッチ、オートフォーカスとマニュアルフォーカス選択スイッチ、ＬＥＤ点灯ＯＮ／ＯＦＦ選択用スイッチ
１０５…レンズＣＰＵ
１０６…ＬＥＤ制御回路部
１１５…角速度センサ
１２１…センサ検出部
１２２…無操作検出部
１２３…ＬＥＤ点灯制御部
１２５…装着検知部
１３０…カメラ本体
１３５…カメラＣＰＵ
１３６…タッチセンサ
１３７…温度センサ
１３８…三脚装着検知部
【図１】
2018025582.tif 000003
【図２】
2018025582.tif 000004
【図３】
2018025582.tif 000005
【図４】
2018025582.tif 000006
【図５】
2018025582.tif 000007
【図６】
2018025582.tif 000008
【図７】
2018025582.tif 000009